(57)【要約】【課題】碍子に付着した付着物を確実に擦り落とすことができるようにした碍子清掃機を提供すること。【解決手段】碍子清掃機は、碍子を中心にして回転可能に取り付けられる本体と、該本体の回転方向に所定の間隔をおいて本体に配置された複数の羽根であって、一端部が本体の回転中心線に平行して延びる軸周りに回転可能に固定されるとともに、少なくとも他端部に風受部を有する複数の羽根と、該羽根を本体の中心側に向かって弾性付勢する弾性部材と、羽根の碍子と対向する部位に取り付けられた清掃部材とを備える。【選択図】図５
2017076585.tif 000002
【特許請求の範囲】
【請求項１】
碍子を中心にして回転可能に取り付けられる本体と、
該本体の回転方向に所定の間隔をおいて本体に配置された複数の羽根であって、一端部が本体の回転中心線に平行して延びる軸周りに回転可能に固定されるとともに、少なくとも他端部に風受部を有する複数の羽根と、
該羽根を本体の中心側に向かって弾性付勢する弾性部材と、
羽根の碍子と対向する部位に取り付けられた清掃部材とを備える、碍子清掃機。
【請求項２】
前記本体は、周方向に２つ以上に分割可能に構成される、請求項１に記載の碍子清掃機。
【請求項３】
前記風受部は、本体の中心に対して外側に向かって延出して形成される、請求項１又は２に記載の碍子清掃機。
【請求項４】
前記清掃部材は、碍子の笠部と対向する羽根の部位に取り付けられる、請求項１から３のいずれか１つに記載の碍子清掃機。
【発明の詳細な説明】
【技術分野】
【０００１】
本発明は、碍子清掃機に関する。
【背景技術】
【０００２】
一般的に鉄塔には、電線を保持するための多数の碍子が取り付けられる。該各碍子の表面には、塵や埃が付着する。また、海沿いの地域では、空気中に含まれる塩分が付着する。地絡、短絡の防止を図るべく、碍子の表面を定期的に掃除する必要がある。しかし、そのような作業は、手間がかかる。
【０００３】
このため、碍子の表面に付着した付着物を除去する碍子洗浄機が提供される。
【０００４】
該碍子洗浄機は、操作棒によって碍子を中心に回転可能に取り付けられる本体と、該本体に配置されたブラシであって、碍子に圧接するように弾性付勢されるとともに、本体の回転により碍子の表面を擦って付着物を除去するブラシと、碍子に付着した付着物を洗い落とす洗浄水を噴射するノズルとを備える（特許文献１参照）。
【０００５】
しかしながら、前記碍子洗浄機は、本体を操作棒により手動で回転操作する必要があり、操作するのが煩雑である。
【０００６】
このため、手動で操作するのではなく、風力によって付着物を除去することができる碍子清掃機が提供されている。
【０００７】
該碍子清掃機は、碍子に同心状に取り付けられる環状の支持部材と、該支持部材に碍子を中心に回転可能に支持された環状の回転部材と、該回転部材に取り付けられたブラシであって、碍子の笠部に摺接するブラシと、回転部材に取り付けられた複数の羽根であって、風を受けて回転部材に回転力を作用させる複数の羽根とを備える（特許文献２参照）。
【０００８】
前記碍子清掃機は、複数の羽根で風を受けて、回転部材を碍子を中心にして回転させる。これに伴って、ブラシを碍子の表面に対して一方向に回転させて、碍子の表面に付着した付着物を除去している。
【０００９】
しかし、前記碍子清掃機では、碍子の表面に付着した付着物を除去できないことがある。具体的に説明すると、ブラシは回転部材の回転によって一定の回転軌道上を通過するだけであるため、碍子の付着物は、ブラシによって一定方向のみで擦られる。したがって、碍子の付着物をきれいに除去できないことがある。
【先行技術文献】
【特許文献】
【００１０】
【特許文献１】特開平１１−１６４３２号公報
【特許文献２】特開２００６−２４４１０号公報
【発明の概要】
【発明が解決しようとする課題】
【００１１】
本発明は、碍子に付着した付着物を確実に擦り落とすことができるようにした碍子清掃機を提供することを目的とする。
【課題を解決するための手段】
【００１２】
本発明に係る碍子清掃機は、碍子を中心にして回転可能に取り付けられる本体と、該本体の回転方向に所定の間隔をおいて本体に配置された複数の羽根であって、一端部が本体の回転中心線に平行して延びる軸周りに回転可能に固定されるとともに、少なくとも他端部に風受部を有する複数の羽根と、該羽根を本体の中心側に向かって弾性付勢する弾性部材と、羽根の碍子と対向する部位に取り付けられた清掃部材とを備える。
【００１３】
かかる構成によれば、常態において、各羽根は弾性部材によって本体の中心側に向かって弾性付勢されている。
【００１４】
そして、風が吹くと、風受部に風圧が作用し、風を受けた羽根は、弾性力に抗して一端部を回転中心にして回転し、羽根の他端部側が碍子の中心側から周縁側に回転移動する。これに伴って、羽根全体が風を大きく受けて、本体の回転が開始する。本体が回転し始めることで、風を受けた羽根も本体とともに回転するようになる。これにより、羽根は、風を受ける位置から風を受けなくなる位置へ回転移動する。
【００１５】
風を受けなくなった羽根は、本体の中心側に向かって弾性付勢されているため、羽根の他端部側が碍子の周縁側から中心側に向かって回転移動する。すなわち、元の状態に復帰する。
【００１６】
本体が回転する間、前記羽根の回転移動が繰り返される。したがって、羽根は、風を受けた状態と風を受けなくなった状態とを交互に行うようになり、羽根に取り付けられた清掃部材は、ワイパーのように碍子の中心側と周縁側との間を繰り返し往復回転して、碍子の表面に付着した付着物を擦り落とすことができる。
【００１７】
本発明に係る碍子清掃機の一態様として、前記本体は、周方向に２つ以上に分割可能に構成されることが好ましい。
【００１８】
かかる構成によれば、本体を周方向に２つ以上に分割して、それぞれの分割体を、既設の碍子に対して径方向外方からあてがって、複数の分割体を環状に連結することができる。これにより、既設の碍子であっても、固定部材から碍子を取り外すことなく、容易に着脱できる。
【００１９】
本発明に係る碍子清掃機の他態様として、前記風受部は、本体の中心に対して外側に向かって延出して形成されることが好ましい。
【００２０】
かかる構成によれば、羽根の他端部に、風受部が本体の中心に対して外側に向かって延出して形成されるため、風受部によって風を受ける面積が大きくなり、風を受けやすくなる。羽根を確実に回転させることができる。
【００２１】
また、本発明に係る碍子清掃機の他態様として、前記清掃部材は、碍子の笠部と対向する羽根の部位に取り付けられることが好ましい。
【００２２】
かかる構成によれば、清掃部材は、碍子の笠部と対向する羽根の部位に取り付けられるため、碍子の笠部に付着した付着物を確実に除去できる。
【発明の効果】
【００２３】
本発明に係る碍子清掃機は、碍子の表面に付着した付着物を擦り落とすことができる。
【図面の簡単な説明】
【００２４】
【図１】図１は、本発明の一実施形態に係る碍子清掃機の正面図である。
【図２】図２は、同実施形態に係る碍子清掃機の一対の分割体の他端部の連結構造の部分拡大図である。
【図３】図３は、同実施形態に係る碍子清掃機の羽根及び清掃部材の斜視図である。
【図４】図４は、同実施形態に係る碍子清掃機を碍子連に実装した状態であって、碍子清掃機の断面図である。
【図５】図５は、同実施形態に係る碍子洗浄機の羽根が風を受けて回転する状態を示す図である。
【発明を実施するための形態】
【００２５】
本発明の一実施形態に係る碍子清掃機について図面を参照して説明する。
【００２６】
本実施形態に係る碍子清掃機は、図１〜図３に示す如く、碍子６を中心にして回転可能に取り付けられる本体２と、該本体２の回転方向に所定の間隔をおいて本体２に配置された羽根３と、該羽根３を本体２の中心側に弾性付勢する弾性部材４と、羽根３の碍子６と対向する部位に取り付けられた清掃部材５とを備える。
【００２７】
なお、本体２、羽根３、清掃部材５は、それぞれ絶縁性の素材で作製されている。
【００２８】
本体２は、互いの一端部が支軸２１によって回転可能に連結された一対の分割体２０，２０であって、互いの他端部が連結可能な一対の分割体２０，２０を備える。
【００２９】
分割体２０は、円弧状で、分割体２０の内周面には、複数の球体２２が回転自在に配置される。
【００３０】
分割体２０には、分割体２０の他端部と中央部とにそれぞれ羽根３の回転軸３０が配置される。
【００３１】
一方の分割体２０の他端部は、一方の分割体２０の他端部の両側から、分割体２０の延びる方向に延出して形成されるとともに、幅方向に間隔をあけて形成された一対の延出片２３，２３を有する。また、一対の延出片２３，２３には、貫通孔２４が形成される。
【００３２】
他方の分割体２０の他端部には、幅方向に貫通孔２５が形成される。
【００３３】
そして、一方の分割体２０の他端部の貫通孔２４と、他方の分割体２０の延出片２３，２３の貫通孔２４とが連通されて、連通した貫通孔２４，２５に連結ピン２６が挿通されて、一対の分割体２０，２０が環状に連結される。これにより、環状の本体２が構成される。また、貫通孔２４，２５に挿通された連結ピン２６の端部には、貫通孔２４，２５からの抜けを防止するための抜け止めピン２７が、連結ピン２６の軸心に対して直交する方向に挿通されている。
【００３４】
羽根３の一端部は、本体２の回転中心線に平行して延びる回転軸３０に回転可能に固定されて、他端部が本体２の周面２ａから離間している。
【００３５】
弾性部材４は、図３に示す如く、羽根３の回転軸３０に設けられたねじりコイルバネである。この弾性部材４の一端部は本体２に固定され、他端部は羽根３に固定される。この弾性部材４によって、羽根３は本体２の中心側に向かって弾性付勢されて、本体２の周面２ａに常時圧接されている。
【００３６】
また、羽根３の他端部には、風を受けるための風受部３１が本体２の周面２ａに対して外側に向かって延出して形成される。この風受部３１によって風を受ける面積が大きくなり、風を受けやすくなる。これにより、清掃部材５の回転力、及び本体２の回転力も大きくなり、碍子６の笠部６０に付着した付着物を除去できるようになる。
【００３７】
清掃部材５は、碍子６の笠部６０に対向する部分の羽根３に配置されたブラシである。このブラシは、本体２の回転中心線に平行して延びており、碍子６に実装された状態では、羽根３の裏面から碍子６の笠部６０に向かって伸びる。
【００３８】
つぎに本実施形態に係る碍子清掃機の使用態様について図４及び図５を参照して説明する。
【００３９】
なお、本実施形態では、碍子清掃機１は、鉄塔のアームＡに取り付けられた既設の碍子連６Ａに実装されることとする。また、碍子連６Ａは、複数の碍子６が連結された既設の懸垂碍子とする。なお、吊り方には、耐張吊と懸垂吊とがあり、図は耐張吊を示しているが、本発明は懸垂吊でも対応できるものとする。但し、長幹碍子には対応していない。
【００４０】
まず、一対の分割体２０，２０の他端部からピン２６が引き抜かれ、一対の分割体２０，２０の他端部が開放された状態になる。
【００４１】
つぎに、他端部が開放された状態の一対の分割体２０，２０が、アームＡの直近の碍子６に対して、該碍子６の径方向外方から挟まれて、一対の分割体２０，２０の他端部が閉じられる。
【００４２】
そして、一対の分割体２０，２０の他端部の貫通孔２４，２５にピン２６が挿通され、一対の分割体２０，２０が環状に連結される。これにより、碍子６に碍子清掃機１が取り付けられる（図３参照）。
【００４３】
このように、一対の分割体２０，２０が環状に連結されることで、既設の碍子連６Ａであっても、固定部材から碍子連６Ａが取り外されることなく、容易に取り付けることができる。一対の分割体２０，２０が碍子６に実装された状態においては、複数の球体２２が碍子６の表面に当接して、碍子６を中心にして本体２が回転できる状態にある。
【００４４】
そして、常態において、各羽根３は、弾性部材４によって本体２の中心側に向かって弾性付勢されているため、本体２の周面２ａに圧接されている。
【００４５】
この状態で、図５の細い矢印の方向に風が吹くと、風受部３１に風圧が作用して、羽根３は、弾性力に抗して一端部の回転軸３０を回転中心にして回転し、図５の実線に示す如く、羽根３の他端部側が碍子６の中心から周縁側に回転移動する。これに伴って、羽根３全体が風を大きく受けて、図５の太い矢印の方向に本体２の回転が開始する。本体２が回転し始めることで、風を受けた羽根３も本体２とともに回転するようになる。これにより、羽根３は、風を受ける位置から風を受けなくなる位置へ回転移動する。
【００４６】
風を受けなくなった羽根３は、図５の実線に示す如く、本体２の中心側に作用する弾性力によって、碍子６の周縁側から中心側に向かって回転移動する。すなわち、元の状態に復帰する。
【００４７】
本体２が回転する間、前記回転移動が繰り返される。したがって、羽根３は、風を受けた状態と風を受けなくなった状態とを交互に行うようになり、羽根３に取り付けられた清掃部材５は、ワイパーのように碍子６の中心側と周縁側との間を繰り返し往復回転して、碍子６の表面に付着した付着物を擦り落とすことができる。
【００４８】
以上のように、前記碍子清掃機は、本体２の回転と、繰り返し行われる清掃部材５の往復回転とによって付着物を確実に擦り落とすことができる。
【００４９】
なお、本発明に係る碍子清掃機は、前記実施形態に限定することなく種々変更することができる。
【００５０】
例えば、前記実施形態の場合、清掃部材５としてブラシを使用したが、碍子６の表面に対して摩擦抵抗を生じる凹凸のある部材を使用してもよい。
【００５１】
また、前記実施形態の場合、羽根３のみに清掃部材５を取り付けるようにしたが、本体２にも清掃部材５を取り付けてもよい。
【００５２】
また、前記実施形態の場合、羽根３を本体２の周面２ａに対して接離させるようにしたが、要は、碍子６の中心側から周縁側の間を繰り返し往復移動させるものであればよい。
【００５３】
また、前記実施形態の場合、本体２を、２つの分割体２０，２０で構成するようにしたが、２つ以上の分割体で構成するようにしてもよい。
【符号の説明】
【００５４】
１…碍子清掃機、２…本体、２ａ…周面、３…羽根、４…弾性部材、５…清掃部材、６…碍子、６Ａ…碍子連、２０…分割体、２１…支軸、２２…球体、２３…延出片、２４…貫通孔、２５…貫通孔、２６…連結ピン、２７…抜け止めピン、３０…回転軸、３１…風受部、６０…笠部、Ａ…アーム
【図１】
2017076585.tif 000003
【図２】
2017076585.tif 000004
【図３】
2017076585.tif 000005
【図４】
2017076585.tif 000006
【図５】
2017076585.tif 000007